(57)【要約】【課題】壁面に対する棚板の角度を容易に切り替えることができ、利便性を向上できると共に、簡潔な外観で美観を向上させた棚を提供することを目的とする。【解決手段】本発明にかかる棚１００は、壁面１０２に取り付けられる棚であって、２つのブラケット１０４、１０６と、ブラケットに着脱可能に取り付けられる棚板１０８とを有し、ブラケットは、壁から離れる方向である手前側に突出する多角形の枠体であり、ブラケットの１つの辺１１０、１２０が壁面に固定されていて、ブラケットの残りの辺のうちいずれかの辺に沿って棚板を支持可能であることを特徴とする。【選択図】図１
2018099397.tif 000002
【特許請求の範囲】
【請求項１】
壁面に取り付けられる棚であって、
２つ以上のブラケットと、
前記ブラケットに着脱可能に取り付けられる棚板とを有し、
前記ブラケットは、壁から離れる方向である手前側に突出する多角形の枠体であり、
前記ブラケットの１つの辺が壁面に固定されていて、
前記ブラケットの残りの辺のうちいずれかの辺に沿って前記棚板を支持可能であることを特徴とする棚。
【請求項２】
前記ブラケットは、枠体の面内方向の内側に突出し、前記棚板を支持する突出部を有し、
前記棚板は、その側端に前記突出部と係合する係合凹部を有し、
前記突出部は、その上辺と下辺とが平行の板状であって
前記係合凹部は、前記棚板の側端において棚板の表裏両面に貫通する直線的な溝であり、
前記棚板は、前記突出部に対して棚板を反転して取り付け可能であることを特徴とする請求項１に記載の棚。
【請求項３】
前記突出部と前記係合凹部には、互いに組み合わされる規制凸部および規制凹部が設けられていて、
前記規制凸部および規制凹部は、前記棚板が枠体の面内方向に移動することを規制することを特徴とする請求項２記載の棚。
【請求項４】
前記棚板には、転落防止用の保持部材が取り付けられていて、
前記保持部材の側端は、前記棚板の側端から、前記ブラケットの厚み分だけオフセットしていることを特徴とする請求項１から３のいずれか１項に記載の棚。
【請求項５】
前記棚板の下面は、手前側より肉厚が厚い肉厚部が壁側に形成され、
前記ブラケットの１つの辺は水平であり、
前記水平な辺の壁側には、前記棚板の壁側の端をひっかける係止部が設けられていて、
前記水平な辺には、前記肉厚部と対応する窪み部が設けられていることを特徴とする請求項１に記載の棚。
【請求項６】
前記棚板の上面の壁側の端には、前記係止部の上端が該棚板の上面よりも低くなる深さの段差部が設けられていることを特徴とする請求項５に記載の棚。
【請求項７】
前記ブラケットの壁面に固定される辺には、大径の穴の上下両方に幅の狭い溝を有する上下だるま穴が設けられていて、
前記ブラケットは、前記壁面に対して上下方向を反転して取り付け可能であることを特徴とする請求項１から６のいずれか１項に記載の棚。
【請求項８】
前記ブラケットの壁面に固定される辺には、磁石が備えられていて、
前記ブラケットは、前記壁面に対して上下方向を反転して取り付け可能であることを特徴とする請求項１から６のいずれか１項に記載の棚。
【発明の詳細な説明】
【技術分野】
【０００１】
本発明は、壁面に取り付けられる棚に関する。
【背景技術】
【０００２】
従来から、支柱などを含む壁面には、各種物品を収納あるいは陳列するために、備え付けの棚が設けられている。このような棚としては、壁面に対する棚板の角度を切り替えられるものが知られている（例えば、特許文献１）。
【０００３】
特許文献１には、左右に立設した支柱と、支柱に取り付けられる支持ブラケットと、支持ブラケットに支持される棚板とを備えた棚板の支持構造が開示されている。この構造では、支柱の前面に設けられた係止孔に、支持ブラケットの後端部に形成されたフックを係止している。さらにこの構造では、支持ブラケットの後端縁下部に角度調整部材を回転可能に装着し、この角度調整部材を回転させることで、支持ブラケットの後端縁と支柱の前面との間の距離を変化させ、支持ブラケットの支柱に対する傾斜角度を調整している。
【先行技術文献】
【特許文献】
【０００４】
【特許文献１】特開２００６−８７７９４号公報
【発明の概要】
【発明が解決しようとする課題】
【０００５】
しかし特許文献１に記載の構造では、傾斜角度を調整するためには、支持ブラケットとは別部品である角度調整部材を支持ブラケットに回転可能に装着する作業、さらには角度調整部材を回転させる作業も必要となり、また、それらの作業も容易ではない。さらに、角度調整部材の機構が露出するため、外観上も無骨な印象を与えてしまう。
【０００６】
本発明は、このような課題に鑑み、壁面に対する棚板の角度を容易に切り替えることができ、利便性を向上できると共に、簡潔な外観で美観を向上させた棚を提供することを目的としている。
【課題を解決するための手段】
【０００７】
上記課題を解決するために、本発明にかかる棚の代表的な構成は、壁面に取り付けられる棚であって、２つ以上のブラケットと、ブラケットに着脱可能に取り付けられる棚板とを有し、ブラケットは、壁から離れる方向である手前側に突出する多角形の枠体であり、ブラケットの１つの辺が壁面に固定されていて、ブラケットの残りの辺のうちいずれかの辺に沿って棚板を支持可能であることを特徴とする。
【０００８】
上記構成によれば、ブラケットは手前側に突出する多角形の枠体である。このため、ブラケットの１つの辺を壁面に固定すると、ブラケットの残りの辺は、一例として、壁面に対して傾斜した状態や水平な状態となる。したがって、棚板をいずれかの辺に支持させると、棚板が傾斜した状態や水平の状態で支持される。このように、棚板を支持するブラケットの辺を異ならせるだけで、壁面に対する棚板の角度を容易に切り替えることができ、利便性を向上できる。また、機械的な角度調整機構がないため、簡潔な外観で高い美観を備えることができる。
【０００９】
上記のブラケットは、枠体の面内方向の内側に突出し、棚板を支持する突出部を有し、棚板は、その側端に突出部と係合する係合凹部を有し、突出部は、その上辺と下辺とが平行の板状であって、係合凹部は、棚板の側端において棚板の表裏両面に貫通する直線的な溝であり、棚板は、突出部に対して棚板を反転して取り付け可能であるとよい。このように、ブラケットの突出部をその上辺と下辺とが平行の板状とし、棚板の側端において棚板の表裏両面に貫通する直線的な溝を係合凹部としたので、突出部に対して棚板を反転しても、突出部と係合凹部とを容易に係合させることができる。このため、棚板の両面を利用でき、利便性が向上する。
【００１０】
上記の突出部と係合凹部には、互いに組み合わされる規制凸部および規制凹部が設けられていて、規制凸部および規制凹部は、棚板が枠体の面内方向に移動することを規制するとよい。これにより、ブラケットが棚板を支持している状態では、突出部と係合凹部とが係合するだけでなく、規制凸部および規制凹部が組み合わされる。このため、突出部と係合凹部がずれることがなく、棚板がブラケットから不用意に脱落することを防ぐことができる。
【００１１】
上記の棚板には、転落防止用の保持部材が取り付けられていて、保持部材の側端は、棚板の側端から、ブラケットの厚み分だけオフセットしているとよい。ここでのオフセットとは、棚板の側端と保持部材の側端との間隔をあけることをいう。これにより、ブラケットを保持部材の側端に突き当てることで、棚板の側端がブラケットの枠体の外側の面と面一になるため、美観を向上できる。
【００１２】
上記の棚板の下面は、手前側より肉厚が厚い肉厚部が壁側に形成され、ブラケットの１つの辺は水平であり、水平な辺の壁側には、棚板の壁側の端をひっかける係止部が設けられていて、水平な辺には、肉厚部と対応する窪み部が設けられているとよい。これにより、ブラケットの残りの辺のうち水平な辺に沿って棚板を支持する場合、棚板の下面の壁側に形成された肉厚部を、水平な辺に設けられた窪み部に組み合わせて位置合わせできる。また棚板の肉厚部よりもさらに壁側の端を、水平な辺の壁側に設けられた係止部にひっかけることで、水平な辺に沿って棚板を確実に支持できる。さらに係止部は、水平な辺の手前側には設けられていないため、棚板を支持した状態で美観を向上できる。
【００１３】
上記の棚板の上面の壁側の端には、係止部の上端が棚板の上面よりも低くなる深さの段差部が設けられているとよい。このように、棚板の上面の壁側の端に段差部が設けられていて、その深さは係止部の上端が棚板の上面よりも低くなるように設定されている。よって、ブラケットの水平な辺に沿って棚板を支持した場合、係止部の上端が棚板の上面から上方に飛び出さないので、棚板に置いた物品が傾いたりせず、物品を安定して載置できる。
【００１４】
上記のブラケットの壁面に固定される辺には、大径の穴の上下両方に幅の狭い溝を有する上下だるま穴が設けられていて、ブラケットは、壁面に対して上下方向を反転して取り付け可能であるとよい。これにより、上下だるま穴に対して、例えば壁面から突出したボルトの頭部などを大径の穴に挿通させ、大径の穴の上方に位置する幅の狭い溝とボルトの頭部とを係合させるなどして、ブラケットの辺を壁面に固定できる。そして上下だるま穴が大径の穴の上下両方に溝を有しているため、ブラケットを壁面に対して上下方向を反転しても、ブラケットの辺を壁面に固定できる。よって、多角形の枠体であるブラケットは、同一辺であっても、壁面に対して上下方向を反転して取り付けることで、同一辺の壁面に対する傾斜角を切り替えることができる。
【００１５】
上記のブラケットの壁面に固定される辺には、磁石が備えられていて、ブラケットは、壁面に対して上下方向を反転して取り付け可能であるとよい。このように、ブラケットの辺には磁石が備えられているので、壁面に例えば金属片などを取り付けるなどすれば、ブラケットを壁面に対して上下反転しても、磁石を利用してブラケットの辺を壁面に固定できる。よって、多角形の枠体であるブラケットは、同一辺であっても、壁面に対して上下方向を反転して取り付けることで、同一辺の壁面に対する傾斜角を切り替えることができる。
【発明の効果】
【００１６】
本発明によれば、壁面に対する棚板の角度を容易に切り替えることができ、利便性を向上できると共に、簡潔な外観で美観を向上させた棚を提供することができる。
【図面の簡単な説明】
【００１７】
【図１】本発明の第１実施形態における棚を示す図である。
【図２】図１の棚のブラケットを拡大して示す図である。
【図３】図１の棚の棚板を拡大して示す図である。
【図４】図１の棚とは棚板の置き方を変えたスタイルの棚を示す図である。
【図５】図１の棚とは棚板の置き方を変えたスタイルの棚を示す図である。
【図６】図１の棚とはブラケットの取り付け方を変えたスタイルの棚を示す図である。
【図７】本発明の第２実施形態における棚を示す図である。
【図８】図７の棚のブラケットを拡大して示す図である。
【図９】図７の棚の棚板を拡大して示す図である。
【図１０】図７の棚とは棚板の取付位置を変えたスタイルの棚を示す図である。
【図１１】図７の棚とはブラケットの取り付け方を変えたスタイルの棚を示す図である。
【発明を実施するための形態】
【００１８】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（第１実施形態）
図１は、本発明の第１実施形態における棚１００を示す図である。棚１００は、例えば浴室の壁面１０２などに取付けられ、各種物品を収納あるいは陳列するために用いられる。棚１００は、図示のように、左右一対の２つのブラケット１０４、１０６と、ブラケット１０４、１０６に着脱可能に取り付けられる棚板１０８とを有する。なお棚１００が取付けられる壁面１０２は、ブラケット１０４、１０６に対応する位置に立設された支柱であってもよい。
【００２０】
ブラケット１０４は、壁面１０２から離れる方向である手前側に突出する多角形の枠体であり、ここでは、５つの辺１１０、１１２、１１４、１１６、１１８を含む５角形の枠体となっている。ブラケット１０４では、辺１１０が壁面１０２に取り付けられる。辺１１０と、前端の辺１１４が平行である。辺１１２、１１８は水平であり、辺１１０、１１４に対して直交している。辺１１６は壁面１０２に対して傾斜している。ブラケット１０６はブラケット１０４と同一の形状になっていて、５つの辺１２０、１２２、１２４、１２６、１２８を含む５角形の枠体となっている。
【００２１】
ブラケット１０４、１０６は、１つの辺１１０、１２０が壁面１０２にそれぞれ固定されていて、残りの辺のうち辺１１６、１２６、または辺１１２、１２２に沿って棚板１０８の側端１３０、１３２をそれぞれ支持することが可能である。以下では、ブラケット１０４が棚板１０８の側端１３０を支持する構造について説明するが、ブラケット１０６が棚板１０８の側端１３２を支持する構造も同様の構成および機能などを有する。
【００２２】
図２は、図１の棚１００のブラケット１０４を拡大して示す図である。図２（ａ）は、ブラケット１０４の枠体の外側の面１３４を示す斜視図である。図２（ｂ）は、ブラケット１０４の枠体の内側の面１３６を示す斜視図である。
【００２３】
ブラケット１０４は、図２（ａ）に示すように突出部１３８を有する。突出部１３８は、その上辺１４０と下辺１４２とが平行の板状（例えば平行四辺形）であって、枠体の傾斜した辺１１６から面内方向の内側に突出している。突出部１３８は、その上辺１４０および下辺１４２が枠体の辺１１２、１１８に対して平行に突出している。このため、突出部１３８の上辺１４０および下辺１４２は、枠体の辺１１０が壁面１０２に取り付けられた状態で壁面１０２に対して直交することになる。
【００２４】
なおブラケット１０６の突出部１７６は、図５に示すように、その上辺１８０および下辺１８２が枠体の辺１２２、１２８に対して平行になるように突出している。
【００２５】
さらに突出部１３８には、図２（ａ）に一部拡大して示すように、上辺１４０と枠体の傾斜した辺１１６との間に形成された規制凹部１４４と、下辺１４２と枠体の傾斜した辺１１６との間に形成された規制凹部１４６とが設けられている。
【００２６】
ブラケット１０４の厚みは、枠体の外側の面１３４から内側の面１３６までの距離で規定される。突出部１３８は、ブラケット１０４の幅方向あるいは厚み方向においては、枠体の外側の面１３４と内側の面１３６との間のほぼ中央に位置していて、図２（ｂ）の寸法Ｌａで示される厚みを有している。また突出部１３８は、図２（ｂ）に示すように、枠体の内側の面１３６から寸法Ｌｂだけオフセットしている。ここでのオフセットとは、突出部１３８と枠体の内側の面１３６との間に間隔をあけることをいう。なお突出部１３８は、枠体の外側の面１３４からも寸法Ｌｂだけオフセットしている。ここでのオフセットとは、突出部１３８と枠体の外側の面１３４との間に間隔をあけることをいう。
【００２７】
またブラケット１０４は、壁面１０２に固定される辺１１０に不図示の磁石などを埋設して、辺１１０をマグネット面としている。このためブラケット１０４は、鉄やステンレスの壁面１０２に対して、上下反転しても固定できる。
【００２８】
図３は、図１の棚１００の棚板１０８を拡大して示す図である。図３（ａ）は、棚板の裏面１４８を示す斜視図である。図３（ｂ）は、図３（ａ）の棚板１０８を反転して、棚板の表面１５０を示す斜視図である。
【００２９】
棚板１０８は、図３（ａ）に示すように、その側端１３０に係合凹部１５２を有する。係合凹部１５２は、棚板１０８の側端１３０において棚板１０８の表裏両面に貫通する直線的な溝であり、対向する側壁１５４、１５６が、図２（ａ）に示すブラケット１０４の突出部１３８の上辺１４０、下辺１４２にそれぞれ接するように形成されている。
【００３０】
係合凹部１５２は、図３（ｂ）の寸法Ｌｃで示される深さを有している。この深さ寸法Ｌｃは、突出部１３８の厚み寸法Ｌａ（図２（ｂ）参照）と、突出部１３８が枠体の外側の面１３４あるいは内側の面１３６からオフセットした寸法Ｌｂとを合計した寸法となっている。また係合凹部１５２には、図３（ｂ）に一部拡大して示すように、側壁１５４のうち棚板１０８の裏面１４８側に形成された規制凸部１５８と、側壁１５６のうち棚板１０８の表面１５０側に形成された規制凸部１６０とが設けられている。なお棚板１０８の側端１３２にも、係合凹部１５２と同様の機能などを有する係合凹部１６２が設けられている。
【００３１】
さらに棚板１０８の表面１５０には、各種物品の転落防止用のパイプ１６４と、棚板１０８の表面１５０に立設しパイプ１６４を保持する柱部材１６６、１６８とが取り付けられている。柱部材１６６の側端１７０の位置は、図３（ｂ）に示すように、棚板１０８の側端１３０から寸法Ｌｄだけオフセットしている。この寸法Ｌｄは、ブラケット１０４の厚みすなわち枠体の外側の面１３４から内側の面１３６までの距離と一致している。つまり、柱部材１６６の側端１７０は、棚板１０８の側端１３０からブラケット１０４の厚み分だけオフセットしている。ここでのオフセットとは、棚板１０８の側端１３０と柱部材１６６の側端１７０との間隔をあけることをいう。なお反対側の柱部材１６８の側端１７２も同様に、棚板１０８の側端１３２からブラケット１０６の厚み分だけオフセットしている。ここでのオフセットとは、棚板１０８の側端１３２と柱部材１６８の側端１７２との間隔をあけることをいう。
【００３２】
また棚板１０８の裏面１４８には、側端１３０、１３２同士をつなぐ縁部１７４が取付けられている。この棚板１０８の縁部１７４は、図１に示すように棚板１０８がブラケット１０４に取り付けられた状態で棚板１０８の下縁となる。
【００３３】
以下、ブラケット１０４への棚板１０８の取り付け方を説明する。なお図１に示す棚１００は、ブラケット１０４の枠体の傾斜した辺１１６に、棚板１０８の裏面１４８を手前側にしてさらに縁部１７４を下側に位置するように棚板１０８を取り付けている。このようにすれば、棚１００では、棚板１０８の縁部１７４を用いて各種物品を斜めに収納あるいは陳列することができる（以下、ディスプレイスタイルと称する）。
【００３４】
図１に示す棚１００では、ブラケット１０４の枠体の傾斜した辺１１６に設けられた突出部１３８に、棚板１０８の側端１３０の係合凹部１５２を係合させるだけで、ブラケット１０４の突出部１３８で棚板１０８を支持できる。つまり、突出部１３８の上辺１４０、下辺１４２に、係合凹部１５２の側壁１５４、１５６がそれぞれ接するように、突出部１３８と係合凹部１５２とを係合させることで、図１に示すディスプレイスタイルの棚１００を得ることができる。
【００３５】
また、係合凹部１５２の深さ寸法Ｌｃが、突出部１３８の厚み寸法Ｌａと突出部１３８が枠体の外側の面１３４あるいは内側の面１３６からオフセットした寸法Ｌｂとを合計した寸法となるため、棚板１０８の側端１３０がブラケット１０４の枠体の外側の面１３４と面一になり、美観にも優れた棚１００を得ることができる。ここでのオフセットとは、係合凹部１５２が、棚板１０８の側端１３０から寸法Ｌｃだけ間隔をあけて形成されていることをいう。
【００３６】
さらに、ブラケット１０４が棚板１０８を支持している状態では、突出部１３８と係合凹部１５２とが係合するだけでなく、突出部１３８の規制凹部１４４と係合凹部１５２の規制凸部１５８とが互いに組み合わされる。このため、突出部１３８と係合凹部１５２の面内方向の移動を規制することができ、棚板１０８がブラケット１０４から不用意に脱落することを防ぐことができる。
【００３７】
図４は、図１の棚１００とは棚板１０８の置き方を変えたスタイルの棚１００Ａを示す図である。ここで突出部１３８は、上記したようにその上辺１４０と下辺１４２とが平行の板状であり、係合凹部１５２は、棚板１０８の側端１３０において棚板１０８の表裏両面に貫通する直線的な溝である。そのため、棚板１０８は、突出部１３８に対して棚板１０８を反転して取り付け可能である。
【００３８】
そこで棚１００Ａでは、ブラケット１０４の枠体の傾斜した辺１１６に、棚板１０８の表面１５０を手前側にしてさらにパイプ１６４が下側に位置するように棚板１０８を取り付けている。棚１００Ａは、この状態でパイプ１６４を用いて各種物品を収納あるいは陳列できると共に、パイプ１６４が棚板１０８の表面１５０から離間しているため水切りも行うことができる（以下、水切りディスプレイスタイルと称する）。
【００３９】
図４に示す棚１００Ａでは、ブラケット１０４の枠体の傾斜した辺１１６に設けられた突出部１３８に対して、棚板１０８を反転して、棚板１０８の側端１３０の係合凹部１５２を係合させるだけで、ブラケット１０４の突出部１３８で棚板１０８を支持できる。つまり、突出部１３８の上辺１４０、下辺１４２に、係合凹部１５２の側壁１５６、１５４がそれぞれ接するように、突出部１３８と係合凹部１５２とを係合させることで、水切りディスプレイスタイルの棚１００Ａを得ることができる。
【００４０】
また係合凹部１５２の深さ寸法Ｌｃが、突出部１３８の厚み寸法Ｌａと上記の寸法Ｌｂとを合計した寸法となるため、棚板１０８の側端１３０がブラケット１０４の枠体の外側の面１３４と面一になり、美観に優れた棚１００Ａを得ることができる。
【００４１】
また棚１００Ａでは、ブラケット１０４が棚板１０８を支持している状態で突出部１３８と係合凹部１５２とが係合するだけでなく、突出部１３８の規制凹部１４４と係合凹部１５２の規制凸部１６０とが互いに組み合わされる。このため、突出部１３８と係合凹部１５２がずれることがなく、棚板１０８がブラケット１０４から不用意に脱落することを防ぐことができる。
【００４２】
図５は、図１の棚１００とは棚板１０８の置き方を変えたスタイルの棚１００Ｂを示す図である。棚１００Ｂでは、ブラケット１０４、１０６の枠体の傾斜した辺１１６、１２６に設けられた突出部１３８、１７６と、棚板１０８の側端１３０、１３２の係合凹部１５２、１６２とを係合させていない。
【００４３】
棚１００Ｂでは、突出部１３８、１７６と係合凹部１５２、１６２との係合に代えて、棚板１０８の側端１３０、１３２を枠体の水平な辺１１２、１２２に載置することで棚板１０８をブラケット１０４、１０６で支持している。
【００４４】
棚１００Ｂでは、図示のように棚板１０８の裏面１４８が見える状態でさらに棚板１０８が水平に支持されている。このため、棚１００Ｂでは、棚板１０８に各種物品を安定して収納あるいは陳列できる（以下、フラットスタイルと称する）。このようにブラケット１０４、１０６の枠体の水平な辺１１２、１２２に棚板１０８の側端１３０、１３２をそれぞれ載置するだけで、フラットスタイルの棚１００Ｂを得ることができる。
【００４５】
ここで図３（ｂ）に示すように、柱部材１６６の側端１７０が棚板１０８の側端１３０からオフセットしている寸法Ｌｄは、上記したようにブラケット１０４の厚みと一致している。そのため、棚１００Ｂでは、図３（ｂ）に示す棚板１０８の柱部材１６６の側端１７０をブラケット１０４に突き当てることで、棚板１０８の側端１３０がブラケット１０４の枠体の外側の面１３４と面一になるため、美観を向上できる。なお棚１００Ｂでは、同様に図３（ｂ）に示す棚板１０８の柱部材１６８の側端１７２をブラケット１０６に突き当てることで、棚板１０８の側端１３２をブラケット１０６の枠体の外側の面１７８と面一にすることができる。
【００４６】
図６は、図１の棚１００とはブラケットの取り付け方を変えたスタイルの棚１００Ｃを示す図である。棚１００Ｃでは、ブラケット１０４、１０６のマグネット面とした辺１１０、１２０を、壁面１０２に対して上下反転して固定している。このため、棚１００Ｃでは、他の棚１００、１００Ａ、１００Ｂに比べ辺１１６、１２６の壁面１０２に対する傾斜角が切り替えられている。
【００４７】
棚１００Ｃでは、ブラケット１０４、１０６の枠体の傾斜した辺１１６、１２６に、棚板の表面１５０を壁側にしてさらにパイプ１６４が下側に位置するように棚板１０８を取り付けている。棚１００Ｃは、この状態でパイプ１６４を用いて各種物品を収納し、パイプ１６４が棚板１０８の表面１５０から離間しているため水切りを行うことができる（以下、水切りスタイルと称する）。
【００４８】
棚１００Ｃでは、図示のように、上下反転したブラケット１０６の枠体の外側の面１７８に沿った突出部１７６に、棚板の側端１３２の係合凹部１６２を係合させる。これだけで、ブラケット１０６の突出部１７６で棚板１０８を支持できる。つまり、突出部１７６の上辺１８０、下辺１８２に、係合凹部１６２の側壁１８４、１８６がそれぞれ接するように突出部１７６と係合凹部１６２とを係合させることで、水切りスタイルの棚１００Ｃを得ることができる。なお同様に、上下反転したブラケット１０４の枠体の外側の面１３４に沿った突出部１３８には、棚板１０８の側端１３０の係合凹部１５２を係合させるだけで、ブラケット１０４の突出部１３８で棚板１０８を支持できる。
【００４９】
ここで突出部１７６の厚み寸法は、突出部１３６の厚み寸法Ｌａと同じである。また係合凹部１６２の深さ寸法は、係合凹部１５２の深さ寸法Ｌｃと同じである。そして深さ寸法Ｌｃは、厚み寸法Ｌａと上記の寸法Ｌｂとを合計した寸法となっている。このため、棚板１０８の側端１３０、１３２がブラケット１０４、１０６の枠体の外側の面１３４、１７８と面一になり、美観にも優れた水切りスタイルの棚１００Ｃを得ることができる。
【００５０】
このように本実施形態によれば、ブラケット１０４、１０６のうち壁面１０２に固定されず、壁面１０２に対して傾斜した辺（ここでは、辺１１６、１２６）あるいは水平な辺（ここでは、辺１１２、１２２）に沿って、棚板１０８をそれぞれ支持可能となる。このため、棚板１０８を支持するブラケット１０４、１０６の辺を異ならせるだけで、壁面１０２に対する棚板１０８の角度を容易に切り替えることができ、利便性を向上できる。また、機械的な角度調整機構がないため、簡潔な外観で高い美観を備えた棚１００、１００Ａ、１００Ｂ、１００Ｃを得ることができる。
【００５１】
また、突出部１３８、１７６に対して棚板１０８を反転しても、突出部１３８、１７６と係合凹部１５２、１６２とを容易に係合させることができるため、棚板１０８の両面を利用でき、利便性が向上する。さらに、係合凹部１５２、１６２の深さ寸法が、突出部１３８、１７６の厚み寸法と、突出部１３８、１７６が枠体の外側の面１３４、１７８からオフセットした寸法とを合計した寸法となっているため、棚板１０８の側端１３０、１３２がブラケット１０４、１０６の枠体の外側の面１３４、１７８と面一になり、さらに美観に優れた棚を得ることができる。
【００５２】
（第２実施形態）
図７は、本発明の第２実施形態における棚２００を示す図である。図７（ａ）は棚２００が組み立てられる様子を示す図である。図７（ｂ）は組み立てられた棚２００を示す図である。
【００５３】
棚２００は、例えば浴室の図７（ｂ）に示す壁面２０２などに取付けられ、各種物品を収納あるいは陳列するために用いられる。棚２００は、左右一対の２つのブラケット２０４、２０６と、図７（ａ）に示すようにブラケット２０４、２０６に着脱可能に取り付けられる棚板２０８とを有する。
【００５４】
ブラケット２０４は、壁面２０２から離れる方向である手前側に突出する多角形の枠体であり、ここでは、３つの辺２１０、２１２、２１４を含む３角形の枠体となっている。ブラケット２０４では、１つの辺２１０が壁面２０２に固定されていて、辺２１２が辺２１０に対して直交していて水平であり、辺２１４が壁面２０２に対して傾斜している。なおブラケット２０６も同様に手前側に突出し、３つの辺２１６、２１８、２２０を含む３角形の枠体となっている。ブラケット２０４、２０６は、１つの辺２１０、２１６が壁面２０２にそれぞれ固定されていて、残りの辺のうち水平な１つの辺２１２、２１８に沿って棚板２０８をそれぞれ支持している。
【００５５】
図８は、図７の棚２００のブラケット２０４を拡大して示す図である。ブラケット２０４は、図８に示すように３つの係止部２２２、２２４、２２６を有する。係止部２２２は、水平な辺２１２の壁側に設けられている。係止部２２４は、水平な辺２１２と傾斜した辺２１４とが交差した箇所よりも手前側に設けられている。係止部２２６は、壁面２０２に固定される辺２１０と傾斜した辺２１４とが交差した箇所よりも下側に設けられている。水平な辺２１２には、窪み部２２８が設けられている。
【００５６】
またブラケット２０４には、壁面２０２に固定される辺２１０に２つの上下だるま穴２３０、２３２が設けられている。上下だるま穴２３０、２３２は、大径の穴２３４、２３６と、この穴２３４、２３６の上下両方に形成された幅の狭い溝２３８ａ、２３８ｂ、溝２４０ａ、２４０ｂとを有する。
【００５７】
このため、上下だるま穴２３０、２３２に対して、例えば壁面２０２から突出した不図示のボルトの頭部などを大径の穴２３４、２３６に挿通させ、大径の穴２３４、２３６の上方に位置する幅の狭い溝２３８ａ、２４０ａとボルトの頭部とを係合させるなどして、ブラケット２０４の辺２１０を壁面２０２に固定できる。そして上下だるま穴２３０、２３２が大径の穴２３４、２３６の上下両方に溝２３８ａ、２３８ｂ、溝２４０ａ、２４０ｂを有しているため、ブラケット２０４を壁面２０２に対して上下方向を反転しても、ブラケット２０４の辺２１０を壁面２０２に固定できる。
【００５８】
なおブラケット２０６は、ブラケット２０４と同様の構成を有し、図７に示すように３つの係止部２４４、２４６、２４８を有する。係止部２４４は、水平な辺２１８の壁側に設けられている。係止部２４６は、水平な辺２１８と傾斜した辺２２０とが交差した箇所よりも手前側に設けられている。係止部２４８は、壁面２０２に固定される辺２１６と傾斜した辺２２０とが交差した箇所よりも下側に設けられている。そして水平な辺２１８には、窪み部２５０が設けられている。また壁面２０２に固定される辺２１６には、２つの上下だるま穴２５２、２５４が設けられている。
【００５９】
図９は、図７の棚２００の棚板２０８を拡大して示す図である。図９（ａ）は、棚板２０８の上面２５６を示す斜視図である。図９（ｂ）は、棚板２０８の下面２５８を示す斜視図である。
【００６０】
棚板２０８の下面２５８の壁側には、手前側より肉厚が厚い肉厚部２６０が形成されている。ブラケット２０４、２０６の水平な辺２１２、２１８に設けられた窪み部２２８、２５０は、この肉厚部２６０に対応して窪んでいる。また、棚板２０８の上面２５６の壁側の端には、段差部２６２が設けられている。さらに棚板２０８の上面２５６の手前側には、転落防止用のパイプ２６４から取り付けられている。
【００６１】
図７では、棚板２０８をブラケット２０４、２０６の水平な辺２１２、２１８に沿って支持している。図７（ａ）に示すように、棚板２０８の壁側の端の段差部２６２を、水平な辺２１２、２１８の壁側に設けられた係止部２２２、２４４にひっかけるように挿入する。そして図７（ｂ）に示すように、棚板２０８の下面２５８の壁側に形成された肉厚部２６０を、水平な辺２１２、２１８に設けられた窪み部２２８、２５０に組み合わせることで位置合わせを行う。このようにして、水平な辺２１２、２１８に沿って棚板２０８を確実に支持できる。
【００６２】
なお、棚板２０８の上面２５６の壁側の端に設けられた段差部２６２は、その深さが図７（ｂ）に示すように、係止部２２２の上端２６６が棚板２０８の上面２５６よりも低くなるように設定されている。
【００６３】
したがって棚２００では、ブラケット２０４、２０６の水平な辺２１２、２１８に沿って棚板２０８を容易に支持させることができるので、棚板２０８に各種物品を収納あるいは陳列できる（以下、フラットスタイルと称する）。しかも、棚２００では、係止部２２２の上端２６６が棚板２０８の上面２５６から上方に飛び出さないので、棚板２０８に置いた物品が傾いたりせず、物品を安定して載置できる。さらに棚２００では、棚板２０８を支持した状態で、ブラケット２０４、２０６の係止部２２４、２４６が棚板２０８で覆われるため、フラットスタイルでの美観を向上できる。
【００６４】
また棚２００では、棚板２０８を支持した状態でブラケット２０４、２０６の係止部２２６、２４８をフックとして利用することで、各種物品を吊り下げることができ、利便性を高めることができる。
【００６５】
図１０は、図７の棚２００とは棚板の取付位置を変えたスタイルの棚２００Ａを示す図である。棚２００Ａでは、ブラケット２０４、２０６の枠体の傾斜した辺２１４、２２０に、棚板２０８の上面２５６を壁側にしてさらにパイプ２６４が下側に位置するように棚板２０８を取り付けている。棚２００Ａは、この状態でパイプ２６４を用いて各種物品を収納し、さらにパイプ２６４が棚板２０８の上面２５６から離間しているため水切りを行うことができる（以下、水切りスタイルと称する）。
【００６６】
棚２００Ａでは、棚板２０８の段差部２６２を上側の係止部２２４、２４６に挿入し、棚板２０８のパイプ２６４側の端部２６８を下側の係止部２２６、２４８にひっかけるだけで、ブラケット２０４、２０６で棚板２０８を支持できる。このようにして、棚２００に比べて、壁面２０２に対する棚板２０８の角度を切り替えた状態の水切りスタイルの棚２００Ａを容易に得ることができる。
【００６７】
図１１は、図７の棚２００とはブラケットの取り付け方を変えたスタイルの棚２００Ｂを示す図である。棚２００Ｂでは、ブラケット２０４、２０６の辺２１０、２１６を、上下だるま穴２３０、２３２、２５２、２５４を用いて壁面２０２に対して上下反転して固定している。そのため、棚２００Ｂでは、他の棚２００、２００Ａに比べ辺２１４、２２０の壁面２０２に対する傾斜角が切り替えられている。
【００６８】
そして棚２００Ｂでは、上下反転したブラケット２０４、２０６の枠体の傾斜した辺２１４、２２０に、棚板２０８の上面２５６を手前側にしてさらにパイプ２６４が下側に位置するように棚板２０８を取り付けている。棚２００Ｂは、この状態でパイプ２６４を用いて各種物品を斜めに収納あるいは陳列すると共に、パイプ２６４が棚板２０８の上面２５６から離間しているため水切りも行うことができる（以下、水切りディスプレイスタイルと称する）。
【００６９】
棚２００Ｂでは、棚板２０８のパイプ２６４側の端部２６８を係止部２２４、２４６にひっかけて、棚板２０８の段差部２６２を係止部２２６、２４８にひっかけるだけで、ブラケット２０４、２０６で棚板２００Ｂを支持できる。このようにして、棚２００、２００Ａに比べて、壁面２０２に対する棚板２０８の角度を切り替えた状態の水切りディスプレイスタイルの棚２００Ｂを容易に得ることができる。
【００７０】
このように本実施形態によれば、ブラケット２０４、２０６のうち壁面２０２に固定されず、壁面２０２に対して傾斜した辺（ここでは、辺２１４、２２０）あるいは水平な辺（ここでは、辺２１２、２１８）に沿って、棚板２０８をそれぞれ支持可能となる。このため、棚板２０８を支持するブラケット２０４、２０６の辺を異ならせるだけで、壁面２０２に対する棚板２０８の角度を容易に切り替えることができ、利便性を向上できる。また、機械的な角度調整機構がないため、簡潔な外観で高い美観を備えた棚２００、２００Ａ、２００Ｂを得ることができる。
【００７１】
上記各実施形態では、ブラケット１０４、１０６、２０４、２０６を手前側に突出する３角形あるいは５角形の枠体としたが、これに限定されない。すなわちブラケット１０４、１０６、２０４、２０６は、１つの辺を壁面に固定すると、残りの辺が壁面に対して傾斜した状態や水平な状態になるのであれば、３角形や５角形以外の多角形の枠体であってもよい。
【００７２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７３】
本発明は、壁面に取り付けられる棚に利用することができる。
【符号の説明】
【００７４】
１００、１００Ａ、１００Ｂ、１００Ｃ、２００、２００Ａ、２００Ｂ…棚、１０２、２０２…壁面、１０４、１０６、２０４、２０６…ブラケット、１０８、２０８…棚板、１１０、１１２、１１４、１１６、１１８、１２０、１２２、１２４、１２６、１２８、２１０、２１２、２１４、２１６、２１８、２２０…ブラケットの辺、１３０、１３２…棚板の側端、１３４、１７８…外側の面、１３６…内側の面、１３８、１７６…突出部、１４０、１８０…上辺、１４２、１８２…下辺、１４４、１４６…規制凹部、１４８…棚板の裏面、１５０…棚板の表面、１５２、１６２…係合凹部、１５４、１５６、１８４、１８６…側壁、１５８、１６０…規制凸部、１６４、２６４…パイプ、１６６、１６８…柱部材、１７０、１７２…柱部材の側端、１７４…棚板の縁部、２２２、２２４、２２６、２４４、２４６、２４８…係止部、２２８、２５０…窪み部、２３０、２３２、２５２、２５４…上下だるま穴、２３４、２３６…上下だるま穴の穴、２３８ａ、２３８ｂ、２４０ａ、２４０ｂ…上下だるま穴の溝、２５６…棚板の上面、２５８…棚板の下面、２６０…肉厚部、２６２…段差部、２６６…係止部の上端、２６８…棚板の端部
【図１】
2018099397.tif 000003
【図２】
2018099397.tif 000004
【図３】
2018099397.tif 000005
【図４】
2018099397.tif 000006
【図５】
2018099397.tif 000007
【図６】
2018099397.tif 000008
【図７】
2018099397.tif 000009
【図８】
2018099397.tif 000010
【図９】
2018099397.tif 000011
【図１０】
2018099397.tif 000012
【図１１】
2018099397.tif 000013